【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
同じ映像情報に基づいて作成された解像度の異なる二つ以上の映像情報を記録する記録方法であって、
前記解像度の異なる二つ以上の映像情報に、該映像情報の解像度に関連した著作権保護情報を付加し、
前記解像度に関連した著作権保護情報が付加された映像情報を記録する事を特徴とする記録方法。
【請求項２】
同じ映像情報に基づいて作成された解像度の異なる二つ以上の映像情報が記録されている媒体から前記映像情報を再生し、出力する出力方法であって、
前記媒体に記録された映像情報には、該映像情報の解像度に関連した著作権保護情報が付加されており、
前記再生された映像情報の解像度に応じて異なる出力先に出力する事を特徴とする出力方法。
【請求項３】
同じ映像情報に基づいて作成された所定の解像度の第１の映像情報及び前記所定の解像度に比して低解像度の第２の映像情報を記録する記録方法であって、
前記第１の映像情報には第１の著作権保護情報を付加し、
前記第２の映像情報には前記第１の著作権保護情報よりも制限度の低い第２の著作権保護情報を付加し、
前記第１の著作権保護情報が付加された第１の映像情報及び前記第２の著作権保護情報が付加された第２の映像情報を記録する事を特徴とする記録方法。
【請求項４】
請求項２記載の出力方法であって、
前記再生された映像情報の解像度が所定の解像度である場合には、前記再生された映像情報を外部に出力し、
前記再生された映像情報の解像度が所定の解像度よりも低い解像度である場合には、前記再生された映像情報を内蔵されたディスプレイに出力する事を特徴とする出力方法。
【請求項５】
同じ映像情報に基づいて作成された圧縮率の異なる二つ以上のデジタル情報を記録する記録方法であって、
前記デジタル情報の圧縮率に関連した著作権保護情報を付加し、
前記圧縮率に関連した著作権保護情報が付加された前記デジタル情報を記録する事を特徴とする記録方法。
【請求項６】
同じ映像情報に基づいて作成された圧縮率の異なる二つ以上のデジタル情報が記録されている媒体から前記デジタル情報を再生し、出力する出力方法であって、
前記媒体に記録されたデジタル情報には、該ディジタル情報の圧縮率に関連した著作権保護情報が付加されており、
前記再生されたデジタル情報の圧縮率に応じて異なる出力先に出力する事を特徴とする出力方法。
【請求項７】
同じ映像情報に基づいて作成された所定の圧縮率の第１のデジタル情報及び前記所定の圧縮率に比して高圧縮率の第２のデジタル情報を記録する記録方法であって、
前記第１のデジタル情報には第１の著作権保護情報を付加し、
前記第２のデジタル情報には前記第１の著作権保護情報よりも制限度の低い第２の著作権保護情報を付加し、
前記第１の著作権保護情報が付加された第１のデジタル情報及び前記第２の著作権保護情報が付加された第２のデジタル情報を記録する事を特徴とする記録方法。
【請求項８】
請求項２記載の出力方法であって、
前記解像度の異なる二つ以上の映像情報は圧縮されて記憶されており、
前記再生された映像情報の圧縮率が所定の圧縮率である場合には、前記再生された映像情報を外部に出力し、
前記再生された映像情報の圧縮率が所定の圧縮率よりも高い圧縮率である場合には、前記再生された映像情報を内蔵されたディスプレイに出力する事を特徴とする出力方法。
【請求項９】
請求項３記載の記録方法において、
解像度の高い映像情報には解像度の低い映像情報に比して、制限度の高い著作権保護情報を付加し、解像度の低い映像情報には解像度の高い映像情報に比して、制限度の低い著作権保護情報を付加する事を特徴とする記録方法。
【請求項１０】
請求項７記載の記録方法において、
圧縮率の低いデジタル情報には圧縮率の高いデジタル情報に比して、制限度の高い著作権保護情報を付加し、圧縮率の高いデジタル情報には圧縮率の低いデジタル情報に比して、制限度の低い著作権保護情報を付加する事を特徴とする記録方法。
【請求項１１】
同じ映像情報に基づいて作成された解像度の異なる二つ以上の映像情報が記録された記録媒体であって、
前記解像度の異なる二つ以上の映像情報には、映像情報の解像度に関連した著作権保護情報がそれぞれの映像情報に付加されている事を特徴とする記録媒体。
【請求項１２】
同じ映像情報に基づいて作成された、第１の著作権保護情報が付加された第１の映像情報と、
前記第１の著作権保護情報よりも制限度の低い前記第２の著作権保護情報が付加された第２の映像情報と、が記録され、
前記第１の映像情報は前記第２の映像情報よりも解像度が高い事を特徴とする記録媒体。
【請求項１３】
同じ映像情報に基づいて作成された、第１の著作権保護情報が付加された第１のデジタル情報と、  
前記第１の著作権保護情報よりも制限度の低い第２の著作権保護情報が付加された第２のデジタル情報と、が記録され、
前記第１のデジタル情報に比して前記第２のデジタル情報は高圧縮率で圧縮されたことを特徴とする記録媒体。
【請求項１４】
請求項３記載の記録方法であって、
前記第１の著作権保護情報が付加された第１の映像情報及び前記第２の著作権保護情報が付加された第２の映像情報を記録媒体上の異なる領域に記録する事を特徴とする記録方法。
【請求項１５】
請求項７記載の記録方法であって、
前記第１の著作権保護情報が付加された第１のデジタル情報及び前記第２の著作権保護情報が付加された第２のデジタル情報を記録媒体上の異なる領域に記録する事を特徴とする記録方法。
【請求項１６】
請求項１３記載の記録媒体において、前記第１のデジタル情報及び前記第２のデジタル情報はそれぞれ異なる圧縮方式で圧縮されており、
前記圧縮された第１のデジタル情報及び第２のデジタル情報はそれぞれ異なる領域に記録されている事を特徴とする記録媒体。
【請求項１７】
第１の解像度と第１の著作権保護情報を持つ第１の映像情報と、第２の解像度と第２の著作権保護情報を持つ第２の映像情報の両映像情報を少なくとも同一の媒体に記録する映像情報の記録再生方式であって、
前記第１の映像情報の解像度を前記第２の映像情報の解像度の２倍以上に選ぶとともに、前記第１の著作権保護情報を前記第２の著作権保護情報よりも著作権をより制限する条件に選ぶことを特徴とする映像情報の記録再生方式。
【請求項１８】
請求項１７記載の映像情報の記録再生方式において、
前記第１の映像情報を第１の画像圧縮方法で圧縮し、前記第２の映像情報を第２の画像圧縮方法で画像圧縮するとともに、
前記第２の画像圧縮方法の画像データ圧縮率が前記第１の画像圧縮方法の画像データ圧縮率よりも高くなるように前記第２の画像圧縮方法を選ぶことを特徴とする映像情報の記録再生方式。
【請求項１９】
請求項１７記載の映像情報の記録再生方式において、
前記第１の映像情報に付随する第１の音声情報を第１の音声圧縮方法で圧縮した後に記録するとともに、前記第２の映像情報に付随する第２の音声情報を第２の音声圧縮方法で圧縮した後に記録するとともに、前記第２の音声圧縮方法の音声データ圧縮率が前記第１の音声圧縮方法の音声データ圧縮率より高くなるように前記第２の音声圧縮方法を選ぶことを特徴とする映像情報の記録再生方式。
【請求項２０】
前記第２の映像情報の通常上映時間は前記第１の映像情報の通常上映時間よりも短くなるように編集記録されていることを特徴とする請求項１２記載の記録媒体。
【請求項２１】
前記第２のデジタル情報の通常上映時間は前記第１のデジタル情報の通常上映時間よりも短くなるように編集記録されていることを特徴とする請求項１３、１６記載の記録媒体。
【請求項２２】
前記第１の画像圧縮方法と前記第２の画像圧縮方法とで異なる圧縮方式を用いることを特徴とする請求項１８記載の映像情報の記録再生方式。
【請求項２３】
前記第１の映像情報及び前記第２の映像情報はそれぞれ異なる圧縮方式で圧縮されている事を特徴とする請求項３記載の記録方法。